(57)【要約】      （修正有）【課題】組立てが簡便であるのみならず、収納時はコンパクトにまとまり、製造においても高価な金型などを必要としない、実用的な組立式の飾り台を提供する。【解決手段】上記の飾り台は、上板１と載置板２と一対の脚板３，４の板状部材を組立てて作る。脚板３，４は、左右の縦板部の中程に横板部が一体に形成されたＨ形状をしており、横板部の中央に設けた切込溝を嵌め合わせて十字状とすることにより４本の脚が形成する。上板１は、脚板３，４の上端に設けられた各突起に係合する切り溝１ｂを有し中央部が切り抜かれている。また載置板２は、脚板３，４の横板部に載置されるもので、上板１の中央部を切り抜いたものを使用する。【選択図】図１
0003152274.tif 000002
【実用新案登録請求の範囲】
【請求項１】
左右の縦板部の中程に横板部が一体に形成されたＨ形状の一対の脚板と、上板と、載置板とによって組立てられた飾り台であって、該脚板は、該横板部の中央に設けた切込溝を嵌め合わせて十字状に形成され、該上板は、中央部が切り抜かれ該脚板の上端と係合する係合部を備え、該載置板は、該脚板の横板部に載置されることを特徴とする組立式の飾り台。
【請求項２】
前記載置板は、前記上板の製作において切り抜かれた中央部の部材であることを特徴とする請求項１記載の組立式の飾り台。
【請求項３】
前記上板または前記載置板の少なくとも一方の外周部にフックを係止する係止孔を複数個有することを特徴とする請求項１記載の組立式の飾り台。
【請求項４】
前記脚板は、縦板部が横板部より上側では外側へ膨らみを持たせた曲線とし、下側では内側へ凹みを持たせて形成し、下端は円形としてその中央部に円形の抜き孔を形成したことを特徴とする請求項１または請求項３記載の組立式の飾り台。
【考案の詳細な説明】
【技術分野】
【０００１】
本考案は、花瓶などの装飾品を載置する組立式の飾り台に関するものである。
【背景技術】
【０００２】
飾り台は、例えば、花瓶とか陶器の置物とか飾る物が特定されているものが多く、形状および大きさも種々のものがあるが、重たくて一体的なものが多い。このため、製造販売における保管のためのスペースを必要とし、運搬にも費用が嵩む。また、使用者にとってもこれを使用しないときには、保管に大きなスペースを必要とするといった問題がある。
【０００３】
一方、組立式のものも幾つか提案されているが、飾るものが特定され、スパナや六角レンチで組立てるものが殆どである。スパナなどを使用せずに組立できるようにしたものとしては、脚に載置台を嵌合させるようにした（例えば特許文献１参照）ものがある。
【０００４】
特許文献１の飾り台は、装飾性を付加した合成樹脂製の４本の脚（支持部材）を植木鉢を載置する皿部材に組み付けるようにしたもので、脚には皿部材を受ける受け片が突設されるとともに挟持溝が形成され、皿部材の側から底部にかけて挟持片が四方に付設されている。
【先行技術文献】
【特許文献】
【０００５】
【特許文献１】特開平９−２９９２０９
【考案の概要】
【考案が解決しようとする課題】
【０００６】
特許文献１の飾り台は、組立てが簡便であり、皿部材を変えることにより種々の大きさの植木鉢に使用できる。
しかしながら、皿部材も脚も形状が複雑で、搬送や収納時にはかさばり、また、製造においても金型の費用が高価になるという問題がある。
【０００７】
本考案は、組立てが簡便であるのみならず、収納時はコンパクトにまとまり、製造においても高価な金型などを必要としない、実用的な組立式の飾り台を提供することを目的としている。
【課題を解決するための手段】
【０００８】
上記の課題を解決するため、本考案の組立式の飾り台は、次のように構成した。すなわち、左右の縦板部の中程に横板部が一体に形成されたＨ形状の一対の脚板と、上板と、載置板とによって組立てられた飾り台であって、該脚板は、該横板部の中央に設けた切込溝を嵌め合わせて十字状に形成され、該上板は、中央部が切り抜かれ該脚板の上端と係合する係合部を備え、該載置板は、該脚板の横板部に載置されることを特徴としている。
【０００９】
本考案の組立式の飾り台は、上板、載置板、脚板を板材から切り抜き、または、プレスで打ち抜き、これを組み合わせて作られる。材質は金属、木、合成樹脂などが使用でき、板厚も上板、載置板、脚板で同一にする必要はなく、それぞれ適宜に選定すればよい。なお、載置板は、上板とは別の材料から制作してもよいが、請求項２に記載のように、上板の製作において切り抜かれた中央部の部材を用いても良い。
【００１０】
形状については、上板および載置板は特に問わない。例えば、円形、楕円形、多角形、花びら状など任意に選定できる。
また、脚板は、左右の縦板部の中程に横板部が一体に形成されたものであり、これをＨ形状と表現したが、これは、Ｈという字の形にこだわるものではなく、特に、縦板部は直線かつ平行であるものに限定されない。脚板は装飾性を持たせて曲線とするのが望ましく、請求項４に記載のように、脚板の縦板部が横板部より上側では外側へ膨らみを持たせた曲線とし、下側では内側へ凹みを持たせて形成し、下端は円形としてその中央部に円形の抜き孔を形成するとよい。
【００１１】
また、脚板は、２個（一対）使用するが、同じ形状でなくてもよい。なお、一対というのは、ここでは、横板部の中央に設けた切込溝が、一方が上から切り込まれ他方が下から切り込まれているものを指している。そして、脚板は中央部で直角に交叉させて上下に切込溝同士を嵌め合わせることにより４本の脚が形成される。
脚板の上端は上板と係合するが、例えば、脚板の上端には突起を設け、これに係合する切溝を上板に備えたり、突起を丸棒状として上板にこれが嵌合する丸穴を形成するなど、種々の手段を採ることができる。なお、上板は脚板に固着する必要はない。
【００１２】
本考案の飾り台は、花瓶や植木鉢を載置板に載せて使用するのが一般的であるが、飾るものは、これに限られない。また、載置板には載せられないほど大きなものは、上板の中央部の切り抜き部を別の板で塞ぎ、その上に載せるようにしてもよい。
上板や載置板は、表面に絵や模様を描くのもよい。また、請求項３に記載のように、上板または載置板の外周部にフックを係止する係止孔を複数個設けて、周囲に装飾品を付設できるようにしておくとよい。
【考案の効果】
【００１３】
本考案の組立式の飾り台は、切込溝を嵌め合わせて十字状とすることにより４本の脚が形成される一対のＨ形状の脚板と、脚板の上端に係合する中央部が切り抜かれた上板と、脚板の横板部に載置された載置板とから構成されているので、工具を必要とせずに簡便に組立てられ、材料も板材のみで加工がし易く安価にでき、組立ててないときは４枚の板のみであり、コンパクトに収納でき、搬送も扱い易い。
また、請求項２に記載のように、上板の製作において切り抜かれた中央部の部材を載置板として用いれば、より、経済的である。
【００１４】
また、飾り台として使用しないときは、上板、載置板および脚板は、それぞれインテリア品として使用できる。この場合、請求項３に記載のように、上板または前記載置板の少なくとも一方の外周部にフックを係止する係止孔を複数個備えれば、装飾品を簡便に吊持できる。
さらに、請求項４に記載のように、脚板は、縦板部が横板部より上側では外側へ膨らみを持たせた曲線とし、下側では内側へ凹みを持たせて形成し、下端は円形としてその中央部に円形の抜き孔を形成すれば、デザイン的に優れた飾り台とでき、また、単品でもインテリア品として十分使用できる。
【図面の簡単な説明】
【００１５】
【図１】本考案の組立式の飾り台の実施の形態を示す斜視図である。
【図２】同  上板１の平面図である。
【図３】同  載置板２の平面図である。
【図４】同  脚板３の平面図である。
【図５】同  脚板４の平面図である。
【図６】同  脚板３と脚板４を組立てた状態を示す斜視図である。
【図７】同  脚板３，４の板取図である。
【考案を実施するための形態】
【００１６】
本考案の組立式の飾り台の実施の形態を図１〜図６に基づいて説明する。
図１は、組立式の飾り台の全体を示す斜視図で、図２〜図５は飾り台を構成する要素の詳細を示す平面図である。
この飾り台は、厚さ１．６ｍｍの鉄板を材料として、図１に示すように、上板１と載置板２と脚板３，４とを組立てて作られている。
【００１７】
上板１は、図２に示すように、花びら状の形をしており、中央部に円形の切欠部１ａが形成されている。そして、４個所に係合部１ｂが形成され、また、外周部に複数の係止孔１ｃが設けられている。係合部１ｂはここでは切り溝としており、上板１の水平方向の移動を規制するためのもので、脚板３，４の上端（突起）３ｅ，４ｅと係合する。係止孔１ｃは、例えば、Ｓ字状の吊り金具や、ひもなどを係止するためのものである。
この上板１は、組立式の飾り台の一構成要素であるが、飾り台を使用しないときには単品でインテリア品として、外周部に別の飾り品と組合わせ、例えば、壁掛けとして使用することができるようにしてある。
【００１８】
載置板２は、脚板３，４の横板部に載置されるもので、図３に示すように、ここでは、円板状で、上板１から切り抜かれた中央部の部材を使用している。
この載置板２の外周部にも複数の係止孔２ａが形成されている。この目的は上記の上板１の係止孔１ｃと同様である。
【００１９】
脚板３は、左右の縦板部３ｂのほぼ中程を横板部３ａで繋がった概略Ｈの形状のものであり、この縦板部は横板部３ａの下側が脚としての機能を担い、横板部３ａより上側は上板１を支持するとともに装飾性を持たせている。
この縦板部３ｂは、横板部３ａの上側では外側へ膨らみを持たせた曲線とし、下側は内側へ凹みを持たせ下端へ向かって外側へ開くような曲線で形成されている。
そして、上端３ｅは突起が形成され、下端は円形としている。
横板部３ａは、一定の幅としており、そのほぼ中央には、上端から下方へ中程までの切込溝３ｃが形成されている。
【００２０】
脚板４は、脚板３と同じものであるが、切込溝４ｃが横板部４ａの下端から上方へ中程まで形成されている点で相違している。
この脚板３，４も単品でインテリア品として使用できるように上端には係止孔３ｆ、４ｆが、下端には抜き孔３ｄ、４ｄが設けられている。
脚板３，４は、上記のような形状としたので、板材から切り出すときは、図７に示すように、脚板３の横板部３ａの上側で両縦板部３ｂの内側に配置でき、材料の歩留まりがよい。
【００２１】
この飾り台の組立ては、図６に示すように、脚板３を立てて持ち、一方の手で脚板４を脚板３と直角方向にして上から切込溝３ｃに切込溝４ｃを嵌め合わせる。これにより、十字状となって４本の脚ができ、安定状態に置くことができる。
次に、交叉した横板部３ａ横板部４ａの上に載置板２を載せ、脚板３，４の上端（突起）３ｅ、４ｅに上板１を載せる。このとき、上板１の係合部（切り溝）１ｂに脚板３，４の上端３ｅ、４ｅを嵌合させる。以上で飾り台は組立てられる。
【００２２】
この飾り台の基本的な使い方としては、載置板２に花瓶や植木鉢を置くものであるが、生花や大きな鉢の場合には、上板１の切抜き部を別の板で塞いで、上板１に載置すればよい。
飾り台として使用しない場合には、上板１、載置板２、脚板３，４をインテリア品として用いることができる。この場合、各部材に適宜絵を描いたり、係止孔を利用して装飾品を取付けるとよい。
【符号の説明】
【００２３】
１  上板
１ａ  切欠部
１ｂ  係合部（切り溝）
１ｃ  係止孔
２  載置板
２ａ  係止孔
３  脚板
３ａ  横板部
３ｂ  縦板部
３ｃ  切込溝
３ｄ  抜き孔
３ｅ  上端（突起）
３ｆ  係止孔
４  脚板
４ａ  横板部
４ｂ  縦板部
４ｃ  切込溝
４ｄ  抜き孔
４ｅ  上端（突起）
４ｆ  係止孔
【図１】
0003152274.tif 000003
【図２】
0003152274.tif 000004
【図３】
0003152274.tif 000005
【図４】
0003152274.tif 000006
【図５】
0003152274.tif 000007
【図６】
0003152274.tif 000008
【図７】
0003152274.tif 000009